(57)【要約】【課題】  水道管を通しての給水が停止されたときに水道水を安定して供給する。【解決手段】  トイレ１９の便器５１の上方に第１貯溜容器２６を配設する。第１貯溜容器２６には、第１水道管１５を通して水道水が供給される。第１貯溜容器２６に第１流出管２９を接続する。第１流出管２９は、第１水道管１５から第１貯溜容器２６への給水が可能なときに、便器５１での水道水の使用に応じて第１貯溜容器２６に貯溜された水道水を水洗用タンク４４へ供給する。第１水道管１５から第１貯溜容器２６への給水が停止されているときには、第１非常時用配管４７の第１バルブ４７ａを開放することにより、第１貯溜容器２６に貯溜された水道水を利用できる。【選択図】      図１
2005139883.tif 000002
【特許請求の範囲】
【請求項１】
水道管を通して供給される水道水を所定の水使用場所へ供給する給水器であって、
前記所定の水使用場所は１つであり、
前記所定の水使用場所の上方に配置され、水道管を通して供給される水道水を貯溜する貯溜容器と、
前記水道管から貯溜容器への給水が可能なときに、水使用場所での水道水の使用に応じて前記貯溜容器に貯溜された水道水を前記所定の水使用場所へ供給するための流出管と、
前記水道管から貯溜容器への給水が停止されているときに、前記貯溜容器に貯溜された水道水を取出すための非常時用取水手段とが設けられている給水器。
【請求項２】
水道管を通して供給される水道水を所定の水使用場所へ供給する給水器であって、
前記所定の水使用場所は複数であり、
前記所定の水使用場所のそれぞれ上方に配置され、前記水道管を通して供給される水道水を貯溜する複数の貯溜容器と、
前記水道管から貯溜容器への給水が可能なときに、水使用場所での水道水の使用に応じて前記貯溜容器に貯溜された水道水を該貯溜容器の下方に位置する所定の水使用場所へ供給するための流出管と、
前記水道管から貯溜容器への給水が停止されているときに、前記貯溜容器に貯溜された水道水を取出すための非常時用取水手段とが設けられている給水器。
【請求項３】
前記非常時用取水手段は、
前記貯溜容器を流出した水道水が流入するように構成され、下流端が前記所定の水使用場所の上方に開口している非常時用配管と、
前記非常時用配管を水道水が流れるときに貯溜容器内を加圧するための加圧用手段とを備えてなる請求項１又は２に記載の給水器。
【請求項４】
前記非常時用取水手段は、
前記貯溜容器を流出した水道水が流入するように構成され、下流端が前記所定の水使用場所の上方に開口している非常時用配管と、
前記貯溜容器の上端部に設けられ、前記非常時用配管を水道水が流れるときに貯溜容器内へ空気を流入させるための調整弁とを備えてなる請求項１又は２に記載の給水器。
【請求項５】
前記調整弁には、貯溜容器内へ流入される空気に含まれる不純物を除去するためのフィルターが設けられている請求項４に記載の給水器。
【請求項６】
前記水道管には、貯溜容器からの逆流を防止するための逆止弁が設けられている請求項１から５の何れか１項に記載の給水器。
【請求項７】
前記流出管は、その上流端が貯溜容器の上端部に接続される一方、下流端が前記所定の水使用場所の上方に開口し、
前記非常時用取水手段は、
上流端が前記貯溜容器の下端部に接続される一方、下流端が前記流出管に接続される非常時用配管と、
前記非常時用配管に設けられる開閉弁と、
前記流出管の上端部に設けられ、該流出管を水道水が流れるときに貯溜容器内へ空気を流入させるための調整弁とを備えてなる請求項１又は２に記載の給水器。
【請求項８】
前記非常時用配管には、分岐管が設けられ、
前記分岐管には、開閉弁が設けられている請求項７に記載の給水器。
【請求項９】
前記流出管から流出した水道水を前記所定の水使用場所で使用するまでの間貯溜するタンクが設けられ、
前記非常時用取水手段は、前記タンクからのオーバーフローを防止するためのオーバーフロー防止手段を備えている請求項１から８の何れか１項に記載の給水器。
【請求項１０】
前記貯溜容器は、貯水量に応じて膨張及び収縮するように構成され、
前記流出管は、その上流端が前記貯溜容器の上端部に接続され、下流端が前記所定の水使用場所の上方に開口し、
前記非常時用取水手段は、水道水が貯溜容器から流下するように構成された非常時用配管と、この非常時用配管に設けられた開閉弁とを備えてなる請求項１又は２に記載の給水器。
【請求項１１】
前記水道管は、前記流出管に隣接して貯溜容器の上端部に接続され、
前記非常時用配管は、その上流端が貯溜容器の下端部に接続されている請求項１０に記載の給水器。
【請求項１２】
前記水道管は、貯溜容器の下端部に接続され、
前記非常時用配管は、その上流端が貯溜容器の下方で前記水道管に接続されている請求項１０に記載の給水器。
【請求項１３】
液体供給源から液体供給管を通して供給される液体を所定の液体使用場所へ供給する液体供給装置であって、
前記所定の液体使用場所は１つであり、
前記液体使用場所の上方に配置され、液体供給管を通して供給される前記液体を貯溜する貯溜容器と、
前記液体供給源から貯溜容器への液体供給が可能なときに、液体使用場所での液体の使用に応じて前記貯溜容器に貯溜された液体を前記所定の液体使用場所へ供給するための流出管と、
前記液体供給源から貯溜容器への液体供給が停止されているときに、前記貯溜容器に貯溜された液体を取出すための液体取出し手段とを備えている液体供給装置。
【請求項１４】
液体供給源から液体供給管を通して供給される液体を所定の液体使用場所へ給水する液体供給装置であって、
前記所定の液体使用場所は複数であり、
前記所定の液体使用場所のそれぞれ上方に配置され、前記液体供給管を通して供給される液体を貯溜する複数の貯溜容器と、
前記液体供給管から貯溜容器への液体供給が可能なときに、液体使用場所での液体の使用に応じて前記貯溜容器に貯溜された液体を該貯溜容器の下方に位置する所定の液体使用場所へ供給するための流出管と、
前記液体供給管から貯溜容器への液体供給が停止されているときに、前記貯溜容器に貯溜された液体を取出すための液体取出し手段とが設けられている液体供給装置。
【発明の詳細な説明】
【技術分野】
【０００１】
本発明は、給水器及び液体供給装置に関し、特に液体供給源からの液体供給が停止したときに当該液体を安定して供給するための対策に係るものである。
【背景技術】
【０００２】
従来より、水道水等の液体を、この液体が所定の目的に使用される使用場所へ安定して供給するためには、この液体を一旦タンク等に溜めておき、このタンクに貯溜された液体を供給する事が行われている。例えば、特許文献１に開示されているように、マンション等の集合住宅では、屋上に貯水タンクを設置し、この貯水タンクに水道水を一旦貯溜している。そして、貯水タンクの水を集合住宅内の各住戸へ供給するようにしている。
【特許文献１】特開２００３−２１１１０１号公報
【発明の開示】
【発明が解決しようとする課題】
【０００３】
ところで、前記従来の高架水槽は、マンション等の屋上に設置されているために、例えば断水時においても、高架水槽に貯溜されている水を重力により流下させて各住戸へ供給することが可能となっている。しかしながら、各住戸へ同時に水を供給可能な構成であるために、非常時において各住戸への水道水の供給能力が同じとはいかないこともある。また、１つの住戸内でも、配管抵抗の違い等により、水の出やすいところと水の出にくいところが生ずるのは避けられない。したがって、各使用場所において水の供給を十分に受けられるとは限らないという問題があった。
【０００４】
そこで、本発明は、かかる点に鑑みてなされたものであり、その目的とするところは、断水時等の液体供給源からの液体供給が停止されたときに、当該液体が使用される各場所へ確実にこの液体を供給することにある。
【課題を解決するための手段】
【０００５】
前記の目的を達成するため、本発明は、液体を貯溜させる貯溜容器をこの液体の使用場所に応じて設けるとともに、この貯溜容器を液体の使用場所の上方に配置するようにしたものである。
【０００６】
具体的に、請求項１の発明は、水道管を通して供給される水道水を所定の水使用場所へ供給する給水器を前提として、前記所定の水使用場所は１つであり、前記所定の水使用場所の上方に配置され、水道管を通して供給される水道水を貯溜する貯溜容器と、前記水道管から貯溜容器への給水が可能なときに、水使用場所での水道水の使用に応じて前記貯溜容器に貯溜された水道水を前記所定の水使用場所へ供給するための流出管と、前記水道管から貯溜容器への給水が停止されているときに、前記貯溜容器に貯溜された水道水を取出すための非常時用取水手段とが設けられている。
【０００７】
この発明では、水道管からの水道水の給水が可能な通常時においては、貯溜容器に貯溜された水道水は、流出管を通して流下することで所定の１つの水使用場所へ供給される。一方、水道管からの水道水の給水が停止されている非常時、例えば断水時には、水道管を通した水道水の加圧がなされないために、貯溜容器内に溜まっている水道水を流出させることが困難となり得る。しかしながら、本発明では、１つの水使用場所に対して、この水使用場所の上方に貯溜容器を配置する一方、非常時において貯溜容器内の水道水を取出すための非常時用取水手段を設けているので、貯溜容器の水道水を容易に取出すことができる。この結果、水道水の給水が停止されている非常時においても、所定の水使用場所へ確実に水道水を供給できる。そして、例えば、今まで断水時には水道水の供給を十分に得ることができなかった水使用場所にそれぞれ本発明を適用することにより、どの水使用場所においても水道水の供給を十分に受けることが可能となる。したがって、断水時に水使用場所によって水道水の出方が異なるという事態を解消することができる。
【０００８】
また、本発明に係る給水器では、所定の１つの水使用場所に応じた貯溜容器を配設する構成であるので、例えば集合住宅に設けられる高架水槽等のように多数の住戸へ水道水を供給する大型のものとは異なる。したがって、本発明に係る給水器は、例えば戸建て住宅等にも配設することができ、あるいは集合住宅であっても各住戸ごとに個別に設置することも可能である。
【０００９】
また、請求項２の発明は、水道管を通して供給される水道水を所定の水使用場所へ供給する給水器を前提として、前記所定の水使用場所は複数であり、前記所定の水使用場所のそれぞれ上方に配置され、前記水道管を通して供給される水道水を貯溜する複数の貯溜容器と、前記水道管から貯溜容器への給水が可能なときに、水使用場所での水道水の使用に応じて前記貯溜容器に貯溜された水道水を該貯溜容器の下方に位置する所定の水使用場所へ供給するための流出管と、前記水道管から貯溜容器への給水が停止されているときに、前記貯溜容器に貯溜された水道水を取出すための非常時用取水手段とが設けられている。
【００１０】
この発明では、水道管からの水道水の給水が可能な通常時においては、各貯溜容器に貯溜された水道水は、各流出管を通して流下することで前記貯溜容器の下方に配置された所定の水使用場所へそれぞれ供給される。一方、水道管からの水道水の給水が停止されている非常時、例えば断水時には、水道管を通した水道水の加圧がなされないために、貯溜容器内に溜まっている水道水を流出させることが困難となり得る。しかしながら、本発明では、複数の水使用場所の上方に貯溜容器をそれぞれ配置し、非常時においてこの貯溜容器内の水道水を取出すための非常時用取水手段を設けているので、この非常時用取水手段により各貯溜容器の水道水を容易に取出すことができる。この結果、水道水の給水が停止されている非常時においても、所定の水使用場所へそれぞれ確実に水道水を供給できる。したがって、今まで断水時には水道水の供給を十分に得ることができなかった水の使用場所においても、水道水の供給を十分に受けることが可能となり、断水時に使用場所によって水道水の出方が異なるという事態を解消することができる。
【００１１】
また、本発明に係る給水器では、所定の複数の水使用場所に応じ、それぞれ適合する貯溜容器を配設する構成であるので、この貯溜容器は、例えば集合住宅に設けられる高架水槽等のように多数の住戸へ水道水を供給する大型のものとは異なる。したがって、本発明に係る給水器は、例えば戸建て住宅等にも設置することができ、あるいは集合住宅であっても各住戸ごとに個別に設置することも可能である。
【００１２】
また、請求項３の発明は、請求項１又は２に記載の給水器において、前記非常時用取水手段は、前記貯溜容器を流出した水道水が流入するように構成され、下流端が前記所定の水使用場所の上方に開口している非常時用配管と、前記非常時用配管を水道水が流れるときに貯溜容器内を加圧するための加圧用手段とを備えてなる。
【００１３】
この発明では、加圧用手段によって加圧された貯溜容器内の水道水が非常時用配管を流れ、この非常時用配管を流れる水道水は、下流端から所定の水使用場所へ供給される。したがって、本発明によれば、水道管からの水道水の給水が停止されているときにおいて、貯溜容器内を加圧し、この加圧された貯溜容器内の水圧によって水道水を貯溜容器から流出させるようにしているので、非常時用配管における配管抵抗の影響を受けることなく、所定の水使用場所へ確実に水道水を供給することができる。
【００１４】
また、請求項４の発明は、請求項１又は２に記載の給水器において、前記非常時用取水手段は、前記貯溜容器を流出した水道水が流入するように構成され、下流端が前記所定の水使用場所の上方に開口している非常時用配管と、前記貯溜容器の上端部に設けられ、前記非常時用配管を水道水が流れるときに貯溜容器内へ空気を流入させるための調整弁とを備えてなる。
【００１５】
この発明では、貯溜容器内の水道水が非常時用配管を流れるときに、貯溜容器の上端部に設けられた調整弁が開放する。このため、貯溜容器の上端部から空気が流入するので、貯溜容器内の水道水を容易に非常時用配管を流下させることができ、貯溜容器内を加圧することなく、所定の水使用場所へ水道水を安定して供給することができる。
【００１６】
また、請求項５の発明は、請求項４に記載の給水器において、前記調整弁には、貯溜容器内へ流入される空気に含まれる不純物を除去するためのフィルターが設けられている。
【００１７】
この発明では、調整弁にフィルターを設けるようにしているので、貯溜容器内へ清潔な空気を流入させることができる。この結果、貯溜容器内を清潔に維持することができ、清潔な水道水を常に所定の水使用場所へ供給することができる。
【００１８】
また、請求項６の発明は、請求項１から５の何れか１項に記載の給水器において、前記水道管には、貯溜容器からの逆流を防止するための逆止弁が設けられている。
【００１９】
この発明では、水道管に逆止弁を設けるようにしているので、貯溜容器内の水道水が水道管を逆流するのを防止することができる。
【００２０】
また、請求項７の発明は、請求項１又は２に記載の給水器において、前記流出管は、その上流端が貯溜容器の上端部に接続される一方、下流端が前記所定の水使用場所の上方に開口し、前記非常時用取水手段は、上流端が前記貯溜容器の下端部に接続される一方、下流端が前記流出管に接続される非常時用配管と、前記非常時用配管に設けられる開閉弁と、前記流出管の上端部に設けられ、該流出管を水道水が流れるときに貯溜容器内へ空気を流入させるための調整弁とを備えてなる。
【００２１】
この発明では、水道管からの水道水の給水が可能なときには、貯溜容器内の水道水は、その上端部から流出管を通して流出する。一方、水道管からの水道水の給水が停止したときには、貯溜容器内には水道管からの水圧がかからないために、貯溜容器内の水道水は、流出管を通して流出することはほとんどなく、流出管内に溜まっている水のみが所定の水使用場所へ供給される。つまり、貯溜容器内の水道水が流入する流出管の上流端が、貯溜容器の上端部に接続されているために、水道管からの給水が停止しているときには、貯溜容器内の水道水が流出管へ流入することはほとんどない。このとき、流出管の上端部に設けられた調整弁が開放することにより、流出管内へ空気が流入し、この管内の水道水は確実に流出管内を流下する。したがって、本発明によれば、水道水の給水が停止しているときには、流出管内に残っている所定量の水道水のみが水使用場所へ向かって流れるので、例えば断水時に子供が無意識のうちに貯溜容器内の水道水を使い切ってしまうという事態を回避することができる。そして、貯溜容器内の水道水を真に使用したいときには、非常時用配管の開閉弁を開放するようにすればよい。
【００２２】
また、請求項８の発明は、請求項７に記載の給水器において、前記非常時用配管には、分岐管が設けられ、前記分岐管には、開閉弁が設けられている。
【００２３】
この発明では、非常時用配管に分岐管を設けるようにしているので、この分岐管の開閉弁を開放すれば分岐管を通しての水道水の供給が可能となる。
【００２４】
また、請求項９の発明は、請求項１から８の何れか１項に記載の給水器において、前記流出管から流出した水道水を前記所定の水使用場所で使用するまでの間貯溜するタンクが設けられ、前記非常時用取水手段は、前記タンクからのオーバーフローを防止するためのオーバーフロー防止手段を備えている。
【００２５】
この発明では、貯溜容器を流出してタンクへ流入した水道水がこのタンクにおいてオーバーフローしてしまうのを防止すべく、オーバーフロー防止手段を備えているので、水使用場所の上方に貯溜容器を配置したとしても、これによって生ずる弊害を防止することができる。
【００２６】
また、請求項１０の発明は、請求項１又は２に記載の給水器において、前記貯溜容器は、貯水量に応じて膨張及び収縮するように構成され、前記流出管は、その上流端が前記貯溜容器の上端部に接続され、下流端が前記所定の水使用場所の上方に開口し、前記非常時用取水手段は、水道水が貯溜容器から流下するように構成された非常時用配管と、この非常時用配管に設けられた開閉弁とを備えてなる。
【００２７】
この発明では、貯溜容器がその貯水量に応じて膨張又は収縮するので、水道管からの水道水の給水が可能な通常時には貯溜容器が膨らんでおり貯水量が増大している。そして、貯溜容器に貯溜された水道水をその上端部から流出させて所定の水使用場所へ供給する。それ故に、貯溜容器内に空気が溜まったとしてもこの空気は水道水と一緒に流出管を通して流出しやすいので、空気が貯溜容器内に溜まるのを回避することができる。一方、水道管からの水道水の給水が停止している非常時には、非常時用取水手段の開閉弁を開放することにより水道水が貯溜容器から非常時用配管へと流下して所定の水使用場所へ供給される。このとき、貯溜容器はその貯水量の減少に伴って縮む。したがって、本発明によれば、貯溜容器内が常に満水状態となって貯溜容器内に空気が溜まるのを回避することができる。この結果、断水状態が長期間に亘って継続するような場合においても水道水に含まれる雑菌の増殖等を抑制できるので、貯溜容器に溜まった水道水の水質が劣化するのを抑制することができる。このため、飲料水の給水器として非常に好ましいものとなる。
【００２８】
また、請求項１１の発明は、請求項１０に記載の給水器において、前記水道管は、前記流出管に隣接して貯溜容器の上端部に接続され、前記非常時用配管は、その上流端が貯溜容器の下端部に接続されている。
【００２９】
この発明では、水道管及び流出管の双方がそれぞれ貯溜容器の上端部に接続されているために、通常時において貯溜容器内の水道水が攪拌されやすくなる。このため、貯溜容器内の水道水をより清潔に維持することができる。一方、非常時には非常時用配管を通して貯溜容器内の水道水を流下させるので容易かつ確実に給水することができる。
【００３０】
また、請求項１２の発明は、請求項１０に記載の給水器において、前記水道管は、貯溜容器の下端部に接続され、前記非常時用配管は、その上流端が貯溜容器の下方で前記水道管に接続されている。
【００３１】
この発明では、通常時において水道水は水道管を通して貯溜容器へその下端部から流入する。一方、非常時には水道水は貯溜容器からこの水道管を経由して非常時用配管を流れ、所定の水使用場所へ供給される。したがって、貯溜容器が膨張、収縮するのを維持しつつ、非常時には貯溜容器内の水道水を水使用場所へ確実に給水することができる。
【００３２】
また、請求項１３の発明は、液体供給源から液体供給管を通して供給される液体を所定の液体使用場所へ供給する液体供給装置を前提として、前記所定の液体使用場所は１つであり、前記液体使用場所の上方に配置され、液体供給管を通して供給される前記液体を貯溜する貯溜容器と、前記液体供給源から貯溜容器への液体供給が可能なときに、液体使用場所での液体の使用に応じて前記貯溜容器に貯溜された液体を前記所定の液体使用場所へ供給するための流出管と、前記液体供給源から貯溜容器への液体供給が停止されているときに、前記貯溜容器に貯溜された液体を取出すための液体取出し手段とを備えている。
【００３３】
この発明では、液体供給管からの液体の供給が可能な通常時においては、貯溜容器に貯溜された液体は、流出管を通して流下することで所定の１つの液体使用場所へ供給される。一方、液体供給源からの液体の供給が停止されている非常時には、貯溜容器内に溜まっている液体を流出させることが困難となり得る。しかしながら、本発明では、１つの液体使用場所に対して、この液体使用場所の上方に貯溜容器を配置する一方、非常時において貯溜容器内の液体を取出すための液体取出し手段を設けているので、貯溜容器の液体を容易に取出すことができる。この結果、液体供給源からの液体供給が停止されている非常時においても、所定の液体使用場所へ確実に液体を供給できる。そして、例えば、今まで非常時において液体供給を十分に得ることができなかった液体使用場所にそれぞれ本発明を適用することにより、どの液体使用場所においても液体の供給を十分に受けることが可能となる。したがって、非常時に液体使用場所によって液体の出方が異なるという事態を解消することができる。
【００３４】
また、請求項１４の発明は、液体供給源から液体供給管を通して供給される液体を所定の液体使用場所へ給水する液体供給装置を前提として、前記所定の液体使用場所は複数であり、前記所定の液体使用場所のそれぞれ上方に配置され、前記液体供給管を通して供給される液体を貯溜する複数の貯溜容器と、前記液体供給管から貯溜容器への液体供給が可能なときに、液体使用場所での液体の使用に応じて前記貯溜容器に貯溜された液体を該貯溜容器の下方に位置する所定の液体使用場所へ供給するための流出管と、前記液体供給管から貯溜容器への液体供給が停止されているときに、前記貯溜容器に貯溜された液体を取出すための液体取出し手段とが設けられている。
【００３５】
この発明では、液体供給管からの液体の供給が可能な通常時においては、各貯溜容器に貯溜された液体は、流出管を通して流下することで前記貯溜容器の下方に配置された所定の液体使用場所へそれぞれ供給される。一方、液体主供給源からの液体の供給が停止されている非常時には、貯溜容器内に溜まっている液体を流出させることが困難となり得る。しかしながら、本発明では、複数の液体使用場所の上方に貯溜容器をそれぞれ配置し、非常時においてこの貯溜容器内の液体を取出すための液体取出し手段を設けているので、この液体取出し手段により各貯溜容器の液体を容易に取出すことができる。この結果、液体供給源からの液体供給が停止されている非常時においても、所定の液体使用場所へそれぞれ確実に液体を供給できる。したがって、今まで断水時等の非常時には液体供給を十分に得ることができなかった液体使用場所においても、当該液体の供給を十分に受けることが可能となり、非常時に液体使用場所によって液体の出方が異なるという事態を解消することができる。
【発明の効果】
【００３６】
以上説明したように、請求項１、３から１２に係る発明によれば、１つの水使用場所に対して、この水時使用場所の上方に貯溜容器を配置する一方、非常時において貯溜容器内の水道水を取出すための非常時用取水手段を設けているので、水道水の給水が停止されている非常時においても、所定の水使用場所へ確実に水道水を供給できる。そして、例えば、今まで断水時には水道水の供給を十分に得ることができなかった水使用場所にそれぞれ本発明を適用することにより、その水使用場所において水道水の供給を十分に受けることが可能となる。したがって、断水時に水使用場所によって水道水の出方が異なるという事態を解消することができる。
【００３７】
また、請求項２、３から１２に係る発明によれば、複数の水使用場所の上方に貯溜容器をそれぞれ配置し、非常時においてこの貯溜容器内の水道水を取出すための非常時用取水手段を設けているので、水道水の給水が停止されている非常時においても、所定の水使用場所へそれぞれ確実に水道水を供給できる。したがって、今まで断水時には水道水の供給を十分に得ることができなかった水の使用場所があったとしても、その水使用場所において水道水の供給を十分に受けることが可能となり、断水時に使用場所によって水道水の出方が異なるという事態を解消することができる。
【００３８】
また、請求項１３に係る発明によれば、１つの液体使用場所に対して、この液体使用場所の上方に貯溜容器を配置する一方、非常時において貯溜容器内の液体を取出すための液体取出し手段を設けているので、液体供給源からの液体供給が停止されている非常時においても、所定の液体使用場所へ確実に液体を供給できる。そして、例えば、今まで非常時において液体供給を十分に得ることができなかった液体使用場所に本発明を適用することにより、その液体使用場所において液体の供給を十分に受けることが可能となる。したがって、非常時に液体使用場所によって液体の出方が異なるという事態を解消することができる。
【００３９】
また、請求項１４に係る発明によれば、複数の液体使用場所の上方に貯溜容器をそれぞれ配置し、非常時においてこの貯溜容器内の液体を取出すための液体取出し手段を設けているので、この液体取出し手段により各貯溜容器の液体を容易に取出すことができる。この結果、液体供給源からの液体供給が停止されている非常時においても、所定の液体使用場所へそれぞれ確実に液体を供給できる。したがって、今まで断水時等の非常時には液体供給を十分に得ることができなかった液体使用場所があったとしても、その液体使用場所において当該液体の供給を十分に受けることが可能となり、非常時に液体使用場所によって液体の出方が異なるという事態を解消することができる。
【発明を実施するための最良の形態】
【００４０】
以下、本発明の実施形態を図面に基づいて詳細に説明する。
【００４１】
《発明の実施形態１》
図１〜図３に示すように、本実施形態１に係る給水器は、例えば戸建て住宅に設置するためのものであり、住宅内の水道管を通して供給される水道水を各水使用場所へ供給するためのものである。一般的に住宅家屋では、図３においてその左下側に示すように、水道本管１１から水道管引き込み１２を介して複数の水道管１５，１６，１７（図３では３本の水道管を示している）へ水道水が供給されるようになっている。この給水器は、所定の複数の水使用場所へ水道水を供給するように構成されるものであり、各水使用場所へ給水するための複数（本実施形態では３つ）の給水部２２，２３を備えている。第１給水部２２は、図１に示すように、トイレ１９へ給水するためのものであり、第１水道管１５を通して給水する。第２給水部２３は、図２に示すように炊事場２０へ給水するためのものであり、第２水道管１６を通して給水する。第３給水部は、図示省略しているが、第３水道管１７を通して例えば風呂場へ給水する。
【００４２】
各給水部２２，２３には、水使用場所１９，２０の上方に配設され、水道管１５，１６，１７を通して供給される水道水を貯溜するための貯溜容器２６，２７がそれぞれ設けられている。これら各貯溜容器２６，２７には、該貯溜容器２６，２７に貯溜されている水道水を各水使用場所１９，２０へと流出させるための流出管２９，３０がそれぞれ接続されている。また、各給水部２２，２３には、断水時等の給水停止時に貯溜容器２６，２７内の水道水を取出すための非常時用取水手段３２，３３がそれぞれ設けられている。尚、第３給水部の貯溜容器、流出管及び非常時用取水手段は図示省略している。
【００４３】
まず、トイレ１９へ水道水を給水するための第１給水部２２の構成について説明する。図１に示すように、前記トイレ１９へと繋がる第１水道管１５は、トイレ１９の室内を上方へと延び、この第１水道管１５の下流端は、トイレ１９の室内の上部に配置された第１貯溜容器２６の下端部に接続されている。第１水道管１５には、開閉弁からなるバルブ４１と、逆止弁４２とが設けられている。バルブ４１は、第１水道管１５への水道水の供給が停止されている断水時等に第１水道管１５を閉鎖するためのものである。逆止弁４２は、水道水が第１水道管１５を第１貯溜容器２６へ向かって上方へ流れるのを許容する一方、これとは逆向き、即ち第１貯溜容器２６から下方へ向かって流れるのを阻止するように構成されている。
【００４４】
第１貯溜容器２６の上端部に接続された第１流出管２９は、上方へ向かった先で折り曲げられている。そして、第１流出管２９は、この折り曲げられた形状の上端部２９ａから下方に向かって延びており、第１貯溜容器２６の下方に配置されたトイレ１９の水洗用タンク４４に接続されている。この水洗用タンク４４は、水道水をトイレ１９で使用するまでの所定期間貯溜する。
【００４５】
第１貯溜容器２６は、およそ箱形に形成された密閉容器によって構成されている。この第１貯溜容器２６は、水洗用タンク４４よりも大きな容量を有しており、例えば、数十〜数百リットル程度の大きさに構成されている。尚、図例では、第１貯溜容器２６は、トイレ１９の室内に設けられているが、これに代え、第１貯溜容器２６は、天井裏に配設してもよく、あるいは天井の上下に跨るように配設してもよい。
【００４６】
第１非常時用取水手段３２は、第１調整弁４６と第１非常時用配管４７とを備えている。第１調整弁４６は、第１非常時用配管４７を水道水が流れるときに外部の空気を第１貯溜容器２６内へ流入させるためのものであり、第１流出管２９の上端部２９ａに設けられている。この第１調整弁４６は、図３に示すように、上端に開口部が形成された筐体４６ａ内に球状の弁体４６ｂが配設された構成のものである。この筐体４６ａは、その下端において第１流出管２９と連通するように設けられている。弁体４６ｂは、筐体４６ａ内を通過する空気の押圧力を受けて上下に自由に移動可能となっている。筐体４６ａ内の下部には、弁体４６ｂを筐体４６ａ内の所定位置に保持するとともに、弁体４６ｂが落下したときにおいても筐体４６ａ内と第１流出管２９との連通を保持するための支持部４６ｃが設けられている。弁体４６ｂが落下したときには、弁体４６ｂは、支持部４６ｃに載置された状態となるが、支持部４６ｃは、この状態のときでも筐体４６ａ内と第１流出管２９内との連通状態を保持するように構成されている。これにより第１流出管２９内は外部（大気）と連通した状態が維持される。一方、筐体４６ａ上端に設けられた開口部は、弁体４６ｂよりも小径の円形状に形成されており、弁体４６ｂが上方に移動したときには、この開口部は、筐体４６ａ内部と筐体４６ａ外部との連通状態を遮断するように構成されている。これにより、第１流出管２９内と外部（大気）との連通状態が遮断される。筐体４６ａ上端の開口部には、フィルター４６ｄが設けられている。このフィルター４６ｄは、外部から筐体４６ａ内へ流入する空気に含有される不純物を除去するためのものである。
【００４７】
第１非常時用配管４７は、上流端（流入端）が第１貯溜容器２６の下端部に接続される一方、下流端（流出端）が第１流出管２９に接続されている。第１非常時用配管４７には、開閉弁としての第１バルブ４７ａと、この第１バルブ４７ａよりも上流側に配置された分岐管４７ｂとが設けられている。第１バルブ４７ａは、任意に開閉できるものであり、第１水道管１５を通した水道水の供給が可能となっている通常時には、閉鎖されるものである。分岐管４７ｂには、開閉弁としての蛇口４７ｃが設けられている。この蛇口は、前記水洗用タンク４４のすぐ真上に配置されており、この分岐管４７ｂの蛇口４７ｃを開放することにより、この蛇口４７ｃを通して水道水を取水することが可能となっている。
【００４８】
第１流出管２９は、水洗用タンク４４内を通過すると共に、その下流端は、図４にも示すように、水洗用タンク４４の上面に形成された水受け面４４ａへ向かって水道水を放出させるように構成されている。この第１流出管２９には、水洗用タンク４４内において開閉弁４９が設けられている。この開閉弁４９は、タンク４４内に設けられた浮き球５０の上下移動によって開閉するように構成されている。つまり、この浮き球５０は、水洗用タンク４４に貯溜された水道水の水面を検知するためのものであり、水に浮くことでタンク４４内に貯溜している貯溜量に基づいて上下移動する。そして、貯溜量が増えて浮き球５０が上方へ移動すると開閉弁４９が閉鎖するように構成されており、水洗タンク４４には所定量の水道水が貯溜されるようになっている。
【００４９】
水洗用タンク４４の下端部には、便器５１に接続された排出管５２が設けられている。この排出管５２には、水洗用タンク４４に設けられたレバー５３に連動して開放する開閉弁（図示せず）が設けられている。第１給水部２２では、トイレ１９の便器５１が本発明でいう所定の水使用場所を構成している。
【００５０】
また、水洗用タンク４４には、オーバーフロー防止手段が設けられている。このオーバーフロー防止手段は、水洗用タンク４４に設けられた連絡管５５により構成されている。この連絡管５５は、水洗用タンク４４の外部に設けられるものであり、その上端部が水洗用タンク４４の側壁に接続されてタンク４４内の上端部近傍に開口する一方、下端部が前記排出管５２に接続されている。これにより、連絡管５５は、水面が上端部に達するとタンク４４内の水道水を排出管５２へ向かって流出させる。
【００５１】
次に、炊事場２０へ水道水を供給するための第２給水部２３の構成について説明する。図２に示すように、前記炊事場２０へと繋がる第２水道管１６は、炊事場２０の壁に沿って上方へと延び、この第２水道管１６の下流端は、炊事場２０の上方に配設された第２貯溜容器２７の下端部に接続されている。第２水道管１６には、開閉弁からなるバルブ６１と、逆止弁６２とが設けられている。このバルブ６１を開放することにより、第２貯溜容器２７へと水道水を供給できる一方、第２水道管１６への給水が停止されている断水時等には、バルブ６１を閉鎖することにより第２水道管１６を閉鎖できる。逆止弁６２は、水道水が第２水道管１６を第２貯溜容器２７へ向かって上方へ流れるのを許容する一方、これとは逆向き、即ち第２貯溜容器２７から下方へ向かって流れるのを阻止するように構成されている。
【００５２】
第２貯溜容器２７の上端部に接続された第２流出管３０は、上方へ向かった先で折れ曲がっており、この折り曲げ形状の上端部３０ａから下方へ向かっている。第２流出管３０の下流端には、開閉弁としての蛇口６５が設けられている。この蛇口６５は、流し台６３の水受け面６３ａの上方に配置されている。第２流出管３０は、蛇口６５を開放することにより、第２水道管１６から供給された水道水を第２貯溜容器２７を通して流出させる。第２給水部２３では、流し台６３が本発明でいう所定の水使用場所を構成している。
【００５３】
第２貯溜容器２７は、およそ箱形に形成された密閉容器によって構成されている。この第２貯溜容器２７は、例えば、数十〜数百リットル程度の容量に構成されている。この第２貯溜容器２７は、天井裏に載置してもよく、天井から吊下げてもよく、あるいは天井の上下に跨るように配設してもよい。
【００５４】
第２貯溜容器２７に設けられた第２非常時用取水手段３３は、第２調整弁６７と第２非常時用配管６８とを備えている。第２調整弁６７は、第２流出管３０の上端部３０ａに設けられている。第２調整弁６７は、前記第１調整弁４６と同様の構造のものである。
【００５５】
第２非常時用配管６８は、上流端（流入端）が第２貯溜容器２７の下端部に接続される一方、下流端（流出端）が第２流出管３０に接続されている。第２非常時用配管６８には、開閉弁としての第２バルブ６８ａが設けられている。第２バルブ６８ａは、任意に開閉できるものであり、第２水道管１６を通した水道水の供給が可能となっている通常時には、閉鎖されるものである。
【００５６】
次に、本実施形態１に係る給水器の動作及び作用効果について説明する。
【００５７】
本実施形態１に係る給水器では、各給水部２２，２３において、水道本管１１からの水道水の供給が可能な通常時には、各水道管１５，１６，１７の各バルブ４１，６１を開放しておくことにより、トイレ１９、炊事場２０あるいは風呂場での水道水の使用に応じて、各水道管１５，１６，１７を通して各貯溜容器２６，２７に常時水道水が供給される。このため、各貯溜容器２６，２７には、常に新鮮な水道水が貯溜されている。このとき、非常時用配管４７，６８のバルブ４７ａ，６８ａは閉鎖されているために、非常時用配管４７，６８を水道水が流れることはない。
【００５８】
トイレ１９における通常時では、第１貯溜容器２６に貯溜された水道水は、水洗用タンク４４内の貯溜量が減って浮き球５０が下がると、第１流出管２９の開閉弁４９が開放することにより、第１貯溜容器２６の水が第１流出管２９を通して水洗用タンク４４に供給される。このとき第１貯溜容器２６内には水道本管１１からの水圧がかかっており、また第１調整弁４６が閉鎖されているので、第１貯溜容器２６の水道水は、容易に第１流出管２９に流入し、この第１流出管２９を流下する。
【００５９】
一方、水道本管１１からの水道水の供給が停止された非常時、例えば断水時において、水洗用タンク４４の浮き球５０が下がると、開閉弁４９が開放することにより、第１流出管２９内の水道水が水洗用タンク４４に流入する。このとき、水道本管１１からの水圧が低下しているために、第１貯溜容器２６内の水道水は、通常時と同じようには流出しない。つまり、第１流出管２９の流入端が第１貯溜容器２６の上端部に設けられているために、貯溜容器２６内の水道水は、僅かに流出するだけである。そして、貯溜容器２６内の水圧低下により、第１調整弁４６が開放し、外気がこの第１調整弁４６を通して第１流出管２９へと流入する。これにより、第１流出管２９内の水道水は、容易に流れ落ちるものの、第１貯溜容器２６内には、所定量の水道水が蓄えられる。
【００６０】
この非常時において、分岐管４７ｂの蛇口４７ｃを開放すれば、この分岐管４７ｂを通して第１貯溜容器２６内の水道水を取出すことができるので、水が必要なときは、それに応じて分岐管４７ｂの蛇口４７ｃを開放すればよい。
【００６１】
炊事場２０における通常時には、第２水道管１６のバルブ６１が開放される一方、第２非常時用配管６８の第２バルブ６８ａは閉鎖されている。このときには、第２流出管３０の蛇口６５を開放することにより、水道水が蛇口６５から流出する。そして、この水道水の使用に応じて第２貯溜容器２７へ水道水が第２水道管１６を通して流入するので、第２貯溜容器２７には常に所定量の水が貯溜される。
【００６２】
一方、断水時等の非常時には、第２水道管１６のバルブ６１が閉鎖される。このとき、第２非常時用配管６８の第２バルブ６８ａも閉鎖されている。そして、蛇口６５を開放すると、第２流出管３０内の水道水が流出する一方、第２貯溜容器２７内の水道水は、ほとんど流出しない。
【００６３】
この非常時において、第２非常時用配管６８の第２バルブ６８ａを開放し、蛇口６５を開放することにより、第２貯溜容器２７内の水道水を流出させることができる。
【００６４】
以上説明したように、本実施形態１に係る給水器では、水道水の給水が停止されている非常時においても、トイレ１９の便器５１、炊事場２０の流し台６３等の所定の水使用場所へそれぞれ確実に水道水を供給できる。この結果、今まで断水時には水道水の供給を十分に得ることができなかった水の使用場所があったとしても、この水使用場所において水道水の供給を十分に受けることが可能となり、断水時に水使用場所５１，６３によって水道水の出方が異なるという事態を解消することができる。
【００６５】
また、本実施形態１に係る給水器は、トイレ１９、炊事場２０等に応じて、それぞれ適合する貯溜容器２６，２７を配設する構成であるので、例えば集合住宅に設けられる高架水槽等のように多数の住戸へ水道水を供給する大型のものとは異なる。したがって、本実施形態１に係る給水器は、例えば戸建て住宅等にも配設することができ、あるいは集合住宅であっても各住戸ごとに個別に設置することも可能である。
【００６６】
また、本実施形態１では、流出管２９，３０を貯溜容器２６，２７の上端部に接続するようにしているので、水道管１５，１６からの給水が停止しているときには、貯溜容器２６，２７内の水道水が流出管２９，３０へ流入することはほとんどない。このとき、流出管２９，３０の上端部に設けられた調整弁４６，６７が開放することにより、流出管２９，３０内へ空気が流入し、この管内の水道水は確実に流出管２９，３０内を流下する。したがって、水道水の給水が停止しているときには、流出管２９，３０内に残っている所定量の水道水のみが水使用場所５１，６３へ向かって流れるので、例えば断水時に子供が無意識のうちに貯溜容器２６，２７内の水道水を使い切ってしまうという事態を回避することができる。そして、貯溜容器２６，２７内の水道水を真に使用したいときには、非常時用配管４７，６８の第１バルブ４７ａ又は第２バルブ６８ａを開放することにより、貯溜容器２６，２７内の水道水を利用できる。
【００６７】
また、本実施形態１では、第１給水部２２（トイレ１９）において、第１非常時用配管４７に分岐管４７ｂを設けるようにしているので、この分岐管４７ｂの蛇口４７ｃを開放することにより、水道水を水洗用タンク４４に溜めるのではなく、分岐管４７ｂを通して水道水を取出すことができるようになっている。
【００６８】
また、本実施形態１では、通常時において、水使用場所５１，６３で水が使用されると、それに伴って貯溜容器２６，２７に貯溜されている水が流出する構成となっているので、貯溜容器２６，２７には水が長期間滞留しない。しかも、貯溜容器２６，２７内には常に水が満たされているために、容器内には空気（空気中の雑菌）がほとんど存在せず、水が腐ることはない。さらに、本実施形態１では、調整弁４６，６７にフィルター４６ｄを設けるようにしているので、非常時において貯溜容器２６，２７内へ清潔な空気を流入させることができる。この結果、貯溜容器２６，２７内を清潔に維持することができ、清潔な水道水を所定の水使用場所５１，６３へ供給することができる。
【００６９】
また、本実施形態１では、水道管１５，１６に逆止弁４２，６２を設けるようにしているので、貯溜容器２６，２７内の水道水が水道管１５，１６を逆流するのを防止することができる。
【００７０】
また、本実施形態１では、第１給水部２２において第１流出管２９から流出した水道水を所定の期間貯溜する水洗用タンク４４が設けられており、第１貯溜容器２６を流出して水洗用タンク４４へ流入した水道水がこのタンク４４においてオーバーフローしてしまうのを防止すべく、連絡管５５を備えているので、トイレ１９の上部に第１貯溜容器２６を配置したとしても、これによって生ずる弊害を防止することができる。
【００７１】
《発明の実施形態２》
図５は本発明の実施形態２を示す。ここでは、実施形態１と同じ構成要素には同じ符号を付し、その詳細な説明を省略する。この実施形態２では、仮設トイレ７０へ水道水を給水するための給水器に構成されている。つまり、本実施形態２に係る給水器は、１つの水使用場所へ水道水を供給するものである。
【００７２】
この給水器は、仮設トイレ７０の上部に設けられた貯溜容器２６と、この貯溜容器２６に接続された流出管２９と、非常時用取水手段３２とが設けられている。貯溜容器２６は、仮設トイレ７０内に収容できる大きさに構成されるものであり、例えば、数十〜百リットル程度の容量を有する。貯溜容器２６には、水道管１５が接続されていて、この水道管１５を通して供給された水道水が貯溜される。
【００７３】
流出管２９は、貯溜容器２６に貯溜されている水道水を水洗用タンク４４へ送水するためのものである。流出管２９は、その上流端が貯溜容器２６の上端部に接続される一方、下流端は貯溜容器２６の下方に配置された水洗用タンク４４内に開放している。この流出管２９には、図示省略しているが実施形態１における水洗用タンク４４と同様な開閉弁が設けられている。この開閉弁は、タンク４４内に設けられた浮き球（図示省略）の上下移動によって開閉するように構成されている。
【００７４】
水洗用タンク４４には、便器５１に接続された排出管５２が設けられている。この排出管５２は、水洗用タンク４４内の水道水を便器５１へ向かって流出させるものである。この便器５１は、本発明でいう所定の水使用場所を構成している。
【００７５】
非常時用取水手段３２は、調整弁４６と、非常時用配管４７と、この非常時用配管４７に設けられた開閉弁としてのバルブ４７ａと、非常用配管４７に設けられた分岐管４７ｂと、この分岐管４７ｂに設けられた開閉弁としての蛇口４７ｃとを備えている。調整弁４６は、実施形態１における第１調整弁４６と同様の構成のものであり、流出管２９の上端部２９ａに配設されている。
【００７６】
非常時用配管４７は、その上流端が貯溜容器２６の下端部に接続される一方、下流端が水洗用タンク４４内に開口している。バルブ４７ａは、分岐管４７ｂよりも下流側に配置されている。このバルブ４７ａは、通常時には閉鎖されるものである。分岐管４７ｂは、仮設トイレ７０の側壁を貫通しており、この分岐管４７ｂの蛇口４７ｃは、仮設トイレ７０の外側に配置されている。この分岐管４７ｂを通して、通常時及び非常時の何れにおいても貯溜容器２６内に貯溜された水道水を取水することができる。
【００７７】
本実施形態２に係る給水器では、水道管１５を通しての水道水の供給が可能な通常時には、非常時用配管４７のバルブ４７ａが閉鎖されている。この通常時において、貯溜容器２６には、水道水が水道管１５を通して常時供給されるので、この貯溜容器２６には水道水がほぼ満タンに満たされている。そして、水洗用タンク４４内の水が使用されると、その使用に応じて貯溜容器２６から水道水が水洗用タンク４４へ流れ、これに伴い、貯溜容器２６には、使用された水量だけ水道管１５を通して水道水が給水される。
【００７８】
一方、水道管１５を通しての水道水の供給が停止されている非常時には、水洗用タンク４４の水が使用されたとしても、貯溜容器２６内の水道水は、この貯溜容器２６の上端部に接続された流出管２９へほとんど流入しない。この非常時において、水洗用タンク４４の水が使用されたときには、非常時用配管４７のバルブ４７ａを開放することにより、水洗用タンク４４内に水を溜めることができる。
【００７９】
したがって、本実施形態によれば、１つの水使用場所としての仮設トイレ７０の便器５１に対して、この便器５１の上方に貯溜容器２６を配置する一方、非常時において貯溜容器２６内の水道水を取出すための非常時用取水手段３２を設けているので、貯溜容器３２の水道水を容易に取水することができる。この結果、水道水の給水が停止されている非常時においても、水洗用タンク４４へ確実に水道水を供給できる。
【００８０】
また、本実施形態に係る給水器では、所定の１つの水使用場所５１に応じた貯溜容器２６を配設する構成であるので、例えば集合住宅に設けられる高架水槽等のように多数の住戸へ水道水を供給する大型のものとは異なる。
【００８１】
その他の構成、作用及び効果は前記実施形態１と同様である。
【００８２】
《発明の実施形態３》
図６は本発明の実施形態３を示す。ここでは、実施形態１と同じ構成要素には同じ符号を付し、その詳細な説明を省略する。この実施形態３では、第１給水部２２において、流出管７２が貯溜容器２６の下端部に接続されている。
【００８３】
流出管７２は、その上流端が貯溜容器２６の下端部に接続される一方、下方に向かって延びている。そして、流出管７２の下端部は、例えば水洗用タンク４４の水受け面４４ａの上方で開口している。この流出管７２には、開閉弁７２ａが設けられている。
【００８４】
非常時用取水手段３２は、非常時用配管７４と、この非常時用配管７４に設けられた開閉弁７４ａとを備えている。非常時用配管７４は、上流端が流出管７２における開閉弁７２ａよりも上流側に接続される一方、下流端が前記水受け面４４ａの上方で開口している。
【００８５】
貯溜容器２６の上端部には、非常時用配管７４を水道水が流れるときに外部の空気を貯溜容器２６内へ流入させるための調整弁７６が設けられている。調整弁７６は、上端に開口部が形成された筐体７６ａ内に球状の弁体７６ｂが配設された構成のものである。この筐体４６ａは、その下端において貯溜容器２６内と連通している。筐体７６ａ内の下部には、弁体７６ｂを筐体７６ａ内の所定位置に保持するとともに、弁体７６ｂの落下時にも外部（大気）と貯溜容器２６内との連通を保持するための支持部７６ｃが設けられている。筐体７６ａ上端に設けられた開口部は、弁体７６ｂよりも小径の円形状に形成されており、弁体７６ｂが上方に移動したときには、この開口部は、筐体７６ａ内部と筐体７６ａ外部との連通状態を遮断するように構成されている。筐体７６ａ上端の開口部には、フィルター７６ｄが設けられている。
【００８６】
したがって、本実施形態３では、水道管１５を通した給水が可能な通常時には、流出管７２の開閉弁７２ａが開放されることにより、水道管１５内の水道水から受ける水圧によって貯溜容器２６内の水道水が流出管７２を流下する。このとき、貯溜容器２６内の水圧が高くなっているために、調整弁７６の弁体７６ｂは、筐体７６ａの上端開口部に押し付けられている。このため、調整弁７６は、閉鎖された状態となっている。
【００８７】
一方、水道管１５を通しての給水が停止されているときには、水道管１５内の水道水から受ける水圧が低下する。そして、流出管７２の開閉弁７２ａが開放されることにより、流出管７２を水道水が流下すると共に、貯溜容器２６内の圧力がさらに低下し、調整弁７６の弁体７６ｂが落下する。これにより、調整弁７６を通して外気が貯溜容器２６へ流入するので、流出管７２内の水道水を速やかに流下させることができ、貯溜容器２６内を加圧することなく所定の水使用場所へ水道水を安定して供給することができる。また、流出管７２の開閉弁７２ａが閉鎖されているときにおいて、必要に応じて非常時用配管７４の開閉弁７４ａを開放することにより、この非常時用配管７４を通して水道水を取水することができる。
【００８８】
その他の構成、作用及び効果は前記実施形態１と同様である。
【００８９】
《発明の実施形態４》
図７は本発明の実施形態４を示す。ここでは、実施形態３と同じ構成要素には同じ符号を付し、その詳細な説明を省略する。この実施形態４では、第１給水部２２において貯溜容器２６内を加圧するための加圧用手段が設けられている。この加圧用手段は、貯溜容器２６の上端部に設けられた加圧用配管８１と、この加圧用配管８１に設けられた逆止弁８２とにより構成されている。加圧用配管８１は、その内端部が貯溜容器２６の上端部に接続される一方、外端部が加圧用ポンプ（図示省略）を接続可能に構成されている。加圧用ポンプとして、例えば足ふみ式の簡易ポンプ等が挙げられる。逆止弁８２は、加圧用配管８１の外端部から内端部へ向かう空気の流れを許容する一方、内端部から外端部へ向かう空気の流れを阻止するように構成されている。
【００９０】
したがって、本実施形態４では、水道管１５からの水道水の給水が停止されているときには、流出管７２の開閉弁７２ａを開放することにより水道管１５内の水道水から受ける水圧が低下する。しかしこのとき、加圧用ポンプによって貯溜容器２６内を加圧すると、この加圧された貯溜容器２６内の水圧によって貯溜容器２６から水道水を流出させることができる。これにより、非常時用配管７４における配管抵抗の影響を受けることなく、所定の水使用場所へ確実に水道水を供給することができる。
【００９１】
その他の構成、作用及び効果は前記実施形態３と同様である。
【００９２】
《発明の実施形態５》
図８は本発明の実施形態５を示す。ここでは、実施形態１と同じ構成要素には同じ符号を付し、その詳細な説明を省略する。この実施形態５では、第１貯溜容器２６を容量可変に構成したものである。
【００９３】
以下具体的に説明する。第１貯溜容器２６の上端部には、第１水道管１５の下流端と第１流出管２９の上流端とがそれぞれ接続されている。つまり、第１水道管１５を通して第１貯溜容器２６へ水道水が流入する一方、第１貯溜容器２６内の水道水は第１流出管２９を通して水洗用タンク４４へ供給される。このとき、水道水は第１貯溜容器２６の上端部から流入するので、第１貯溜容器２６内において水道水が流入した勢いで攪拌されるようになっている。
【００９４】
第１貯溜容器２６の下端部には、第１非常時用配管４７の上流端が接続されている。第１非常時用配管４７の下流端は第１貯溜容器２６の下方で第１流出管２９に接続されている。第１非常時用配管４７には開閉弁としての第１バルブ４７ａと、この第１バルブ４７ａよりも上流側に配置された分岐管４７ｂとが設けられている。第１流出管２９の開閉弁４９はタンク４４内の浮き球５０の上下移動によって開閉するように構成されている。
【００９５】
第１貯溜容器２６は、ゴム、ポリエチレン等の伸縮自在な軟質材料により構成されており、水風船状になっている。そして、第１貯溜容器２６は、第１水道管１５から水道水が流入するにしたがって膨張する一方、第１流出管２９から水道水が流出するにしたがって収縮する。つまり、第１貯溜容器２６は、貯溜量に応じて内容積が変化するようになっている。これにより、第１貯溜容器２６内は常に満水状態となっている。言い換えると、本実施形態５では、第１貯溜容器２６が貯水量に応じて膨張収縮するので、第１貯溜容器２６内に空気を流入させることなく水道水を流出させることができる。このとき、第１水道管１５のバルブ４１から第１貯溜容器２６を経由して第１流出管２９の開閉弁４９に至る系の全体に亘って満水状態となっている。
【００９６】
第１水道管１５、第１流出管２９、第１非常時用配管４７は第１貯溜容器２６の横方向における略中央部に接続されており、第１貯溜容器２６は主として横方向に膨張、収縮する。これにより、これらの配管１５，２９，４７が接続されることで、第１貯溜容器２６の膨張、収縮が阻害されないようになっている。
【００９７】
第１貯溜容器２６は箱形の外枠８５内に配設されている。この外枠８５は第１貯溜容器２６が膨張し過ぎないように設けられるものであり、また外枠８５は第１貯溜容器２６が損傷するのを防止する機能をも有している。外枠８５の上面には通気孔８６が設けられ、また外枠８５内の上部には網状の密着防止部８７が設けられている。通気孔８６は第１貯溜容器２６が膨張縮小するのを阻害しないように外枠８５の内外の通気を行うためのものである。この通気孔８６にはフィルター８６ａが設けられている。密着防止部８７は第１貯溜容器２６が膨張した場合でもこの第１貯溜容器２６が外枠８５の内面に貼り付いてしまうのを防止するためのものである。これにより通気孔８６での通過が確実なものとなり、第１貯溜容器２６が膨張縮小するのが阻害されないようになっている。
【００９８】
外枠８５の上面部には上側貫通孔が、また下面部には下側貫通孔がそれぞれ形成されており、第１水道管１５及び第１流出管２９は上側貫通孔に挿通される一方、第１非常時用配管４７は下側貫通孔に挿通されている。
【００９９】
本実施形態５では、第１水道管１５からの水道水の給水が可能な通常時には貯溜容器が膨らんでおり貯水量が増大している。そして、第１貯溜容器２６に貯溜された水道水をその上端部から流出させて水洗用タンク４４へ供給する。それ故に、第１貯溜容器２６内に空気が溜まったとしてもこの空気は水道水と一緒に流出しやすいので、空気が長期間に亘って第１貯溜容器２６内に溜まるのを回避することができる。一方、第１水道管１５からの水道水の給水が停止している非常時には、第１貯溜容器２６が水圧で膨張状態に保たれるが、このとき開閉弁４９及び第１バルブ４７ａが閉鎖されている限り水道水が流出することはない。そして、第１バルブ４７ａを開放すると、開閉弁４９が開放されることを条件として水道水が第１貯溜容器２６から第１非常時用配管４７を流下して水洗用タンク４４へ供給される。このとき、第１貯溜容器２６はその貯水量が減少し、それに伴って縮むので、第１貯溜容器２６内に空気が入ることはない。このとき容器内の水道水は第１貯溜容器２６が収縮しようとする力を受けるので、水道水はこの力をも受けて第１貯溜容器２６から流出する。したがって、第１貯溜容器２６内が常に満水状態となって第１貯溜容器２６内に空気が溜まるのを回避することができる。この結果、断水状態が長期間に亘って継続するような場合においても水道水に含まれる雑菌の増殖等を抑制できるので、第１貯溜容器２６に溜まった水道水の水質が劣化するのを抑制することができる。このため、飲料水の給水器として非常に好ましいものとなる。
【０１００】
また、本実施形態５では、第１水道管１５及び第１流出管２９の双方をそれぞれ第１貯溜容器２６の上端部に接続するようにしているために、水道水に使用に応じて第１水道管１５から第１貯溜容器２６へ水道水が給水される通常時において、第１貯溜容器２６内の水道水が攪拌されやすくなる。このため、第１貯溜容器２６内の水道水をより清潔に維持することができる。
【０１０１】
その他の構成、作用及び効果は前記実施形態１と同様である。
【０１０２】
《発明の実施形態６》
図９は本発明の実施形態６を示す。尚、ここでは、実施形態５と同じ構成要素には同じ符号を付し、その詳細な説明を省略する。本実施形態６では、実施形態５と異なり、第１水道管１５の下流端（上端）が第１貯溜容器２６の下端部に接続している。
【０１０３】
第１水道管１５は第１貯溜容器２６の下端部において横方向における一端部（図９における左端部）に接続されている。また、第１流出管２９は第１貯溜容器２６の上端部において横方向における一端部（図９における左端部）に接続されている。このため、本実施形態６では、水道水は第１貯溜容器２６の下端部から流入する一方、第１貯溜容器２６の上端部から流出する。
【０１０４】
第１貯溜容器２６は、主として横方向に膨張、収縮するようになっている。より具体的には、第１貯溜容器２６は図９における左端部において第１水道管１５及び第１流出管２９が接続されることで左端部が固定されている。そして、第１貯溜容器２６は水道水が流入すると図９における右方向へ膨張する一方、水道水が流出すると図９における左方向へ収縮する。本実施形態６では、第１水道管１５及び第１流出管２９がそれぞれ第１貯溜容器２６の左端部に接続されることで、第１貯溜容器２６の膨張、収縮が阻害されないようになっている。
【０１０５】
第１非常時用配管４７は、その上流端（流入端）が第１水道管１５における逆止弁４２の下流側に接続される一方、下流端（流出端）が第１貯溜容器２６の下方で第１流出管２９に接続されている。
【０１０６】
外枠８５の上面部には上側貫通孔が、また下面部には下側貫通孔がそれぞれ形成されており、第１流出管２９は上側貫通孔に挿通される一方、第１水道管１５は下側貫通孔に挿通されている。
【０１０７】
本給水器では、通常時において水道水は第１水道管１５を通して第１貯溜容器２６へその下端部から流入し、第１貯溜容器２６は右方向へ膨張する。そして、この容器内の水道水は使用に応じてその上端から第１流出管２９を通して流出し水洗用タンク４４へ供給される。一方、非常時には第１バルブ４７ａを開放すると水道水は第１貯溜容器２６から第１水道管１５を経由して第１非常時用配管４７を流れ、水洗用タンク４４へ供給される。したがって、本実施形態６によれば、第１貯溜容器２６が膨張、収縮するのを維持しつつ、非常時には第１貯溜容器２６内の水道水を水使用場所へ確実に給水することができる。
【０１０８】
また、本実施形態６においても通常時において第１貯溜容器２６内の水道水はその上端部から第１流出管２９へと流出するので、第１貯溜容器２６内に空気が溜まったとしてもこの空気は水道水と一緒に流出しやすく、空気が長期間に亘って第１貯溜容器２６内に溜まるのを回避することができる。この結果、断水状態が長期間に亘って継続するような場合においても水道水に含まれる雑菌の増殖等を抑制できるので、第１貯溜容器２６に溜まった水道水の水質が劣化するのを抑制することができる。このため、飲料水の給水器として非常に好ましいものとなる。
【０１０９】
その他の構成、作用及び効果は前記実施形態５と同様である。
【０１１０】
《発明の実施形態７》
図１０は本発明の実施形態７を示す。ここでは、実施形態６と同じ構成要素には同じ符号を付し、その詳細な説明を省略する。
【０１１１】
第１貯溜容器２６は、蛇腹状に形成されることで上下方向に伸縮自在に構成された容器本体２６ａと、この容器本体２６ａと第１流出管２９とを連通させる螺旋管からなる伸縮吸収部２６ｂとからなる。容器本体２６ａの下端部は、その中央部において第１水道管１５の上端部に接続されて固定されている。第１水道管１５は枠体８５の下面部における中央部の下側貫通孔に挿通されている。第１貯溜容器２６は、容器本体２６ａが伸縮することで内容積が変化するようになっている。
【０１１２】
伸縮吸収部２６ｂは外枠８５内における上端部に配設さている。そして、伸縮吸収部２６ｂは、その下端部が容器本体２６ａの上端部における中央部に接続される一方、上端部が第１流出管２９の上流端に接続されている。この伸縮吸収部２６ｂは、容器本体２６ａの伸縮によっても第１流出管２９の上流端が上下移動するのを抑止するために設けられるものである。伸縮吸収部２６ｂは容器本体２６ａの伸縮に伴って上下方向に変形できるように軟質材料によって構成されている。伸縮吸収部２６ｂは上下方向に螺旋径が異なるような形態に形成されている。これにより伸縮吸収部２６ｂがより上下方向に短くなるようになっている。
【０１１３】
尚、本実施形態７では、外枠８５の通気孔８６及び密着防止部８７が省略されている。
【０１１４】
したがって、本実施形態によれば、通常時において水道水は第１水道管１５を通して第１貯溜容器２６へその下端部から流入する。これにより第１貯溜容器２６の容器本体２６ａが上方へ伸びるとともに、伸縮吸収部２６ｂが上下方向に短くなるように変形する。これにより第１貯溜容器２６の貯水量が増大する。そして、容器内の水道水は使用に応じて第１流出管２９を通して水洗用タンク４４へ供給される。一方、非常時には第１バルブ４７ａを開放すると水道水は第１貯溜容器２６から第１水道管１５を経由して第１非常時用配管４７へと流下し、水洗用タンク４４へ供給される。このとき水道水は、容器本体２６ａが縮もうとする力をも受けて第１貯溜容器２６から流出する。そして、容器本体２６ａが下方へ縮むとともに、伸縮吸収部２６ｂが上下方向に長くなるように変形する。したがって、第１貯溜容器２６が膨張、収縮するのを維持しつつ、非常時には第１貯溜容器２６内の水道水を水使用場所へ確実に給水することができる。
【０１１５】
その他の構成、作用及び効果は前記実施形態１と同様である。
【０１１６】
《その他の実施形態》
前記実施形態１，３，４，５，６及び７では、複数の水使用場所５１，６３へ水道水を供給すべく複数の給水部２２，２３からなる給水器として構成しているが、これに代え、１つの給水部のみを備えた給水器として構成してもよい。つまり、各給水部を単体の給水器として構成してもよい。例えば、トイレ１９へ給水するための給水器として構成するときには、この給水器は、水道管１５を通して供給された水道水を貯溜する貯溜容器２６と、貯溜容器２６に貯溜された水道水を通常時にトイレ１９へ供給するための流出管２９と、貯溜容器２６に貯溜された水道水を非常時に取水するための非常時用取水手段３２とを備えるように構成すればよい。また、炊事場２０へ給水するための給水器として構成するときには、この給水器は、水道管１６を通して供給された水道水を貯溜する貯溜容器２７と、貯溜容器２７に貯溜された水道水を通常時に炊事場２０へ供給するための流出管３０と、貯溜容器２７に貯溜された水道水を非常時に取水するための非常時用取水手段３３とを備えるように構成すればよい。
【０１１７】
また、前記実施形態３及び４では、実施形態１における第１給水部２２の構成を変形した形態について説明したが、これに代え、実施形態１における第２給水部２３、第３給水部を同様に変形した構成としてもよい。また、実施形態３及び４では、第１給水部２２としての構成について説明したが、この第１給水部２２を独立した１つの給水器として構成してもよい。
【０１１８】
また、前記実施形態５では、第１貯溜容器２６を膨張収縮するように構成したが、これに代え、第２貯溜容器２７を膨張収縮するように構成してもよく、また第３貯溜容器を膨張収縮するように構成してもよい。また、給水器が１つだけの給水部を備える構成の場合には、その貯溜容器を膨張収縮するように構成すればよい。
【０１１９】
また、前記各実施形態において、水道管１５，１６，１７、流出管２９，３０、非常時用配管４７，６８等の各配管の少なくとも一部の配管には図１１〜１３に示すように変形許容部９０を介在させる構成としてもよい。この変形許容部９０は直線状に形成されている配管の直線部に設けられる場合には、軸方向に伸縮可能に構成すればよい。例えば図１１に示すように変形許容部９０は螺旋状の管により構成することができる。配管の直線部に変形許容部９０を介在させることにより、地震等の揺れに対しても配管が破断し難くなり、各実施形態における給水器１０が非常時に機能しやすくなる。また、変形許容部９０は例えば図１２に示すように螺旋径が異なるような螺旋状の管によって構成することもできる。こうすることで変形許容部９０が縮んだときにも互いに干渉することがなくなるために、変形許容部９０の長さを短くすることが可能となる。また、変形許容部９０は配管の折れ曲がり部に設けることもできる。この場合、例えば図１３に示すように変形許容部９０の両端部が互いに角度（例えば９０度）を有した状態で旋回部を有する管によって構成することができる。変形許容部９０は例えば塩化ビニル、ポリエチレン等からなる管によって構成することができる。
【０１２０】
また、前記各実施形態について、貯溜容器２６，２７へ塩素を供給するための塩素供給手段を設けるようにしてもよい。この塩素供給手段は、塩素自体を供給するものでもよく、あるいは次亜塩素酸ソーダを供給するものであってもよい。これにより、貯溜容器２６，２７内の塩素濃度を所定範囲内に調整できるので、非常時において水道水が貯溜容器２６，２７に長期間貯溜されるような場合においても貯溜容器２６，２７から供給される水道水の塩素濃度基準をクリアできるようになる。
【０１２１】
また、前記各実施形態では、所定の水使用場所へ水道水を供給する給水器として構成したが、これに代え、所定の液体使用場所へ液体を供給するための液体供給装置として構成してもよい。この場合の液体として不揮発性の液体を使用するとよい。
【図面の簡単な説明】
【０１２２】
【図１】本発明の実施形態１における第１給水部の全体構成を示す斜視図である。
【図２】本発明の実施形態１における第２給水部の全体構成を示す斜視図である。
【図３】本発明の実施形態１における第１給水部を概略的に示す配管系統図である。
【図４】水洗用タンクを示す斜視図である。
【図５】本発明の実施形態２に係る給水器の全体構成を示す斜視図である。
【図６】本発明の実施形態３に係る給水器を概略的に示す配管系統図である。
【図７】本発明の実施形態４に係る給水器を概略的に示す配管系統図である。
【図８】本発明の実施形態５に係る給水器を概略的に示す配管系統図である。
【図９】本発明の実施形態６に係る給水器を概略的に示す配管系統図である。
【図１０】本発明の実施形態７に係る給水器を概略的に示す配管系統図である。
【図１１】変形許容部の構成の一例を示す図である。
【図１２】変形許容部の構成の一例を示す図である。
【図１３】変形許容部の構成の一例を示す図である。
【符号の説明】
【０１２３】
１５      第１水道管（水道管）
１６      第２水道管（水道管）
２６      第１貯溜容器（貯溜容器）
２７      第２貯溜容器（貯溜容器）
２９      第１流出管（流出管）
３０      第２流出管（流出管）
３２      第１非常時用取水手段（非常時用取水手段）
３３      第２非常時用取水手段（非常時用取水手段）
４２      逆止弁
４４      水洗用タンク（タンク）
４６      第１調整弁（調整弁）
４６ｄ    フィルター
４７      第１非常時用配管（非常時用配管）
４７ａ    第１バルブ（開閉弁）
４７ｂ    分岐管
４７ｃ    蛇口（開閉弁）
５１      便器（水使用場所）
５５      連絡管（オーバーフロー防止手段）
６２      逆止弁
６３      流し台（水使用場所）
６７      第１調整弁（調整弁）
６８      第２非常時用配管（非常時用配管）
６８ａ    第２バルブ（開閉弁）
【図１】
2005139883.tif 000003
【図２】
2005139883.tif 000004
【図３】
2005139883.tif 000005
【図４】
2005139883.tif 000006
【図５】
2005139883.tif 000007
【図６】
2005139883.tif 000008
【図７】
2005139883.tif 000009
【図８】
2005139883.tif 000010
【図９】
2005139883.tif 000011
【図１０】
2005139883.tif 000012
【図１１】
2005139883.tif 000013
【図１２】
2005139883.tif 000014
【図１３】
2005139883.tif 000015